(57)【要約】【課題】本発明は、動物の飼い主に経済的な負担をかけずに、清潔な動物用排泄物処理器具を提供することを目的とする。【解決手段】中央部に排泄穴１１を設けた板状部材１０の裏面に、排泄穴１１を囲むように矩形の枠材１３を取り付ける。枠材１３の少なくとも一方の辺１４には、断面Ｌ字状の板状部材１５が下方に延在しており、また、枠材１３の辺１４に対向する辺１６には、着脱機構１７を設ける。上部に開口を有すると共に底面を平坦に形成した容器本体２１の周縁に外側に延出する周縁部２２を設けた排泄容器２０を、前記排泄穴の直下に位置するように前記板状部材に着脱自在に取り付ける。動物が排便排尿したときには、排泄穴から排泄物を容器２０に内に落とし、容器２０を取り出して人間用の便器にそれを捨てる。【選択図】        図１
2005185121.tif 000002
【特許請求の範囲】
【請求項１】
内部に動物の排泄物を排泄するための穴を有する板状部材であって、裏面に着脱機構を設けたものと、
前記動物の排泄物を収容する収容容器であって、前記穴の直下に配置されるように前記板状部材に前記着脱機構によって着脱自在に取り付けられるものとからなる動物用排泄物処理器具。
【請求項２】
更に、開口を上部に有する収納容器であって、その深さが前記板状部材の厚みと収容容器の深さの合計に比べて深いものを有することを特徴とする請求項１に記載の動物用排泄物処理器具。
【請求項３】
更に、前記収納容器の開口が前記板状部材に前記収容容器を装着したものを収納するのに十分な大きさを有するとともに、
前記収納容器の基底部の内側面側に複数の支柱部を設けて前記板状部材を支持することを特徴とする請求項２に記載の動物用排泄物処理器具。
【請求項４】
更に、前記収容容器を収納するのに十分な大きさの開口部を上部に有する収納容器であって、更に、その上縁によって前記板状部材を支持するものを有することを特徴とする請求項１又は２に記載の動物用排泄物処理器具。
【請求項５】
更に、前記排泄物を排泄するための穴の大きさを調整する手段を設けることを特徴とする請求項１乃至４のいずれかに記載の動物用排泄物処理器具。
【請求項６】
内部に動物の排泄物を排泄するための穴を有する板状部材に前記動物の排泄物を収容する収容容器を装着した動物用排泄物処理器具の上に動物を載せて排泄物を排泄させて、動物を排泄にならして動物が自ら人間用の便器で排泄することを可能にする動物用排泄物処理器具の使用方法。  
【発明の詳細な説明】
【技術分野】
【０００１】
本発明は、動物用の排泄物処理器具及びそれを使用する方法に関し、特には、単独若しくは組み合わせて使用することの可能な、猫、子犬等の動物用の排泄物処理器具及びそれを使用する方法に関する。
【背景技術】
【０００２】
従来、動物用排泄物処理器具は、排泄用容器にトイレ砂等を入れておき、動物がその上で排泄するタイプのものが一般に使用されている。
また、人間用の便器を利用して排泄を行わせる各種の器具も提案されている。これらの器具のうち、人間用の便座に被せて用いられる動物用の板状の排泄物処理器具であって、排泄穴とその近傍に排泄物の匂いのする物質を装着する取り付け部を設けたものが知られている（たとえば、特許文献１参照）。また、人間用洋式便座の蓋に該当するものの中央付近に穴をあけ、その穴に、底に穴の開いたすり鉢状のものを嵌合させたものも知られている（たとえば、特許文献２参照）。
【特許文献１】実開平６−５５３４５号公報（第２頁、図１および図４）
【特許文献２】実開平７−３５５８４号公報（第４頁および第５頁、図１および図２）
【発明の開示】
【発明が解決しようとする課題】
【０００３】
動物用トイレ砂等を使う排泄容器は、動物が容器周辺に砂を飛び散らして、不潔であり清掃を怠ると悪臭すら発生することもある。また、飼い主はその動物が生きている限り砂を購入し続けなければならず、過度の経済的な負担が掛かることも生じる。
そこで、本発明は、動物の飼い主に経済的な負担をかけずに、清潔な動物用排泄物処理器具を提供することを目的とする。
また、最終的に、猫などの動物が自ら人間用の便器でうまく排泄させることができればトイレ砂などの処理をする手間が省け便利であり、清潔な排泄行為が達成できる。しかし、動物を人間用の便器を用いて排泄させるのには、その動物を人間用の便器の上で排泄ができるようにしつけをする必要があるが、上記特許文献に記載の従来技術においては、どのようにしたら動物が自ら排泄物処理器具に載って排泄させることができるのかが明らかにされていない。
本発明は、そのような動物が人間用の便器で自らうまく排泄できるようにするためのしつけに使用する排泄物処理器具とその使用方法を提供することを目的とする。
【課題を解決するための手段】
【０００４】
本発明に関する動物用排泄物処理器具は、内部に動物の排泄物を排泄するための穴を有する板状部材であって、裏面に着脱機構を設けたものと、前記動物の排泄物を収容する収容容器であって、前記穴の直下に配置されるように前記板状部材に前記着脱機構によって着脱自在に取り付けられるものとからなることを特徴とする。
【０００５】
排泄物収容容器を排泄穴の直下に配置されるように着脱機構によって装着して、動物を板状部材の上に載せて排尿排便させて、排泄穴を介して排泄物を排泄容器に収容する。次いで、排泄容器を着脱機構により板状部材の裏面から取り外して動物の排泄物を人間用の便器に捨てる。その後  排泄容器を水洗して水をテッシュペーパーなどによって拭き取ってから保管する。
【０００６】
本発明に関する別の動物用排泄物処理器具は、更に、開口を上部に有する収納容器であって、その深さが前記板状部材の厚みと収容容器の深さの合計に比べて深いものを有することを特徴とする。
【０００７】
本発明に関する動物用排泄物処理器具の使用方法は、内部に動物の排泄物を排泄するための穴を有する板状部材に前記動物の排泄物を収容する収容容器を装着した動物用排泄物処理器具の上に動物を載せて排泄物を排泄させて、動物を排泄にならして動物が自ら人間用の便器で排泄することを可能にすることを特徴とする。
動物用排泄物処理器具は、好ましくは、収納容器の深さを徐々に大きくすることによって動物の排泄のしつけを行う。たとえば、まず、深さが前記板状部材の厚みと収容容器の深さの合計に比べて大きな収納容器であって、さらに、その基底部内側面に複数の支柱部を設けて、その支柱部によって板状部材を支持するものを用意して動物の排泄を訓練する。次いで、その収納容器よりも深い収納容器であって、前記排泄物収容容器を収納するのに十分な大きさの開口部を上部に有する収納容器であって、その深さが前記収容容器の深さに比べて大きく、さらに、その上縁によって前記板状部材を支持するものを用意して動物の排泄のしつけを行う。このように徐々に深い収納用容器を用いて動物の排泄のしつけを行なうことによって動物に人間用の便器の高さに慣れさせる。
【発明の効果】
【０００８】
請求項１の発明は、トイレ砂などを用いずに動物の排泄物を人間用の便器に排泄できるので、動物の飼い主に経済的な負担をかけずに、清潔な動物用排泄物処理器具を提供することができる効果を奏する。
請求項２乃至５の発明は、最終的に、動物が自ら人間用の便器で排泄させることを可能にし、後は水洗によって排泄物を流すだけなので、トイレ砂などの処理をする手間が省ける利便性を有すると共に、清潔な排泄も達成できる効果を奏する。
請求項６の発明は、動物が自ら人間用の便器で排泄することを可能にする効果を奏する。
【発明を実施するための最良の形態】
【０００９】
本発明の各実施の形態を、各図面に関連して、説明する。
図１は、本発明の一実施形態に関する動物用排泄物処理器具１の分解斜視図であり、図２は、排泄穴１１の調整手段の一例である調整キャップを示す斜視図であり、図３は、調整キャップ１２を有する動物用排泄物処理器具１の上から見た分解斜視図であり、図４は、調整キャップ１２を有する動物用排泄物処理器具１の下から見た分解斜視図であり、図５は、排泄物収容容器２０を装着した板状部材１０の斜視図であり、図６は、図５のＶI−ＶI線断面図であり、図７は、図５のＶII−ＶII線断面図である。
【００１０】
板状部材１０は、略楕円形の形状を有する、たとえば、プラスティック製の板材であり、その内部に排泄穴１１を設けたものである。板状部材１０の形状は略楕円形に限らず他の形状であってもよい。また、ダンボールのような硬い紙製であってもよい。
【００１１】
排泄穴１１の大きさを調整するために、排泄穴１１に図２に示すような調整キャップ１２を取り付けてもよい。この調整キャップ１２は、板状部材１２ａの内部に排泄穴１１よりも小さな穴１２ｃを開け、更に、その裏面に排泄穴１１内に挿入して調整キャップ１２を装着させるための突状部１２ｂを、穴１２ｃを囲むように設けたものである。
【００１２】
板状部材１０が段ボール製であるような場合には、調整キャップ１２の代わりに、板状部材１０の排泄穴１１の周囲にミシン穴を開けておき、必要なときにミシン穴から板状部材１０を切り取って排泄穴１１の大きさを調整できるようにしてもよい。
板状部材１０の表面は、略平坦面であるが、動物が排泄穴１１から滑り落ちない限り、凹凸傾斜を設けてもよい。図に示すものは、人間用の便座に似せて作成したものである。
【００１３】
板状部材１０の裏面には、排泄穴１１を囲むように矩形の枠材１３を取り付ける。枠材１３の少なくとも一方の辺１４には、断面Ｌ字状の板状部材１５が下方に延在している。また、枠材１３の辺１４に対向する辺１６には、着脱機構１７を設ける。図８と９に示すものは、辺１６の一部を削除してその後の空間内に棒状体１８を取り付け、その棒状体１８に着脱片１９の取り付け部１９ａを嵌着し着脱片１９を回転可能にする。着脱片１９の先端部付近には、後述する排泄容器２０を着脱するための爪辺１９ｂが突設されている
【００１４】
排泄容器２０は、上部に開口を有すると共に底面を平坦に形成した、断面凹状の略箱形の容器本体２１の周縁に外側に延出する周縁部２２を設けたものであって、周縁部２２の一部には前記突出辺１９ｂと嵌合する嵌合部２３を有する。周縁部２２の表面と枠材１３の下面は共に平坦面である。
【００１５】
排泄容器２４は、図１１に示すように、本体の短辺部分２１に排泄物を流しだすための切込み部２７を設けてもよい。
【００１６】
なお、前記排泄容器２０とは別に、後述するように、動物用排泄物処理容器１を人間用の便器に取り付けたときに、動物を人間用の便器の水に慣れさせるためにも使用することができる。この排泄容器２４は、底部にミシン目２６ａ、２６ｂを設ける。図１２に示すミシン目２６ａを切断して、底面の一部２６ａ１を取り除き（図１３参照）、便器の上から一旦動物に便器の水を少し見せておいて、動物に便器の水に慣れされる。次いで、慣れた時点で、更に、ミシン目２６ｂを切断して、排泄容器２０の底部２６ｂ１を取り除き、動物に便器の水を動物に徐々に大きく見せて、動物が完全に水に慣れるようにする（図１４参照）。この排泄容器２４において、臭いを残すための溝２５を設けてもよい。
【００１７】
次いで、この動物用排泄物処理器具１の使用方法について説明する。
まず、排泄容器２０を枠材１３の下に沿って移動させて、周縁部２２の一部を枠材１３のＬ字状の空間内に収納させる。その空間の奥まで排泄容器２０を移動させると、排泄容器２０の周縁部２２は、枠材１３の下面に一致して接触状態となる。そして、着脱片１９を排泄容器２０に向かって回転させて、排泄容器２０の嵌合部２３を爪辺１９ｂによって嵌め合わせる。これによって、排泄容器２０が板状部材１０に装着される（図５乃至図７及び図１０参照）。
【００１８】
この状態で、動物用排泄物処理器具１を平坦な場所などに置いて、板状部材１０の上に猫などの動物を載せて排尿排便をさせて排泄物を排泄容器２０に入れる。また、ティシューなどの匂いのついたものを排泄容器２０内に予め置いておくことで、動物の排尿排便がしやすくなることはもちろんである。
【００１９】
排泄が終了すると、動物を板状部材１０から下ろす。そして、爪辺１９ｂを排泄容器２０の嵌合部２３から離脱させると共に、着脱片１９を排泄容器２０から遠いほうに向かって回転させる。ついで、排泄容器２０を収納方向とは逆方向に向かって移動させて、排泄容器２０を板状部材１０から取り外す。
【００２０】
最後に、排泄容器に溜まった排泄物を人間用便器に捨てる。そして、排泄容器２０を水洗してその後紙や布などできれいに排泄容器を拭き取る。
このようにすることで、本発明の動物用排泄物処理器具は、トイレ砂などを用いずに動物の排泄物を人間用の便器に排泄できるので、動物の飼い主に経済的な負担をかけずに、清潔な動物用排泄物処理器具を提供することができる。
【００２１】
次いで、本発明の別の動物用排泄物処理器具１００を説明する。
ところで、猫などの動物が自ら人間用の便器でうまく排泄させることができればトイレ砂などの処理をする手間が省け便利であり、清潔な排泄行為が達成できるが、動物を人間用の便器を用いて排泄させるには、その動物を人間用の便器の上で排泄ができるようにしつけをする必要がある。この動物用排泄物処理器具１００は、そのために使用するものであって、上記の動物用排泄物処理器具１を利用するものである。したがって、動物用排泄物処理器具１と同じ部材に関しては同じ引用番号を使用してその説明を割愛する。
【００２２】
この動物用排泄物処理器具１００は、動物用排泄物処理器具１と収納容器１１０とならなる。この収納容器１１０は、動物用排泄物処理器具１を収納するのに十分な大きさの開口部を上部に有する収納容器であって、その深さが前記板状部材１０の厚みと収容容器２０の深さの合計に比べて深く、さらに、その基底部１４０の内側面側に取り付け部材１５０によって支持される複数の支柱部１２０を設けて前記板状部材１０を支持するものである。また、基底部１４０の略中央部には、排泄容器２０の底部を収納して容器２０を固定するための枠材１３０が取り付けられている（図１５乃至図１８参照）。
【００２３】
ところで、この収納容器１１０の深さは、前記のように前記板状部材１０の厚みと収容容器２０の深さの合計に比べて深ければよく、さほど深くする必要はない。むしろなるべく浅くなるようにしたほうが動物が自ら板状部材１０の上に載りやすくなる。
【００２４】
次いで、この動物用排泄物処理器具１００の使用方法について説明する。
収容容器１１０内に動物用排泄物処理器具１を収納する（図１６参照）と、板状部材１０の下面が支柱部１２０に当接すると共に、排泄容器２０の底部が枠材１３０内に収容されて、動物用排泄物処理器具１が動かないように固定される（図１７及び図１８参照）。これによって、動物は板状部材１０の上に載って安心して排泄行為をすることができる。
【００２５】
更に、本発明の別の動物用排泄物処理器具２００を説明する。
この動物用排泄物処理器具２００も動物のしつけのために使用される。この動物用排泄物処理器具２００も、上記動物用排泄物処理器具１を利用するものである。したがって、動物用排泄物処理器具１と同じ部材に関しては同じ引用番号を使用してその説明を割愛する。
【００２６】
この動物用排泄物処理器具２００は、動物用排泄物処理器具１と収納容器２１０とからなる（図１９及び図２０参照）。この収納容器２１０は排泄物収容容器２０又は２４を収納するのに十分な大きさの開口部を上部に有し、その深さが前記収容容器２０又は２４の深さに比べて大きい。さらに、その周縁部２２０によって板状部材１０を支持する（図２１乃至図２２参照）。
この収納容器２１０の深さは、前記のように収容容器２０又は２４の深さに比べて深ければよいが、上記動物用排泄物処理器具１００に比べて深くする。
【００２７】
次いで、この動物用排泄物処理器具２００の使用方法について説明する。
収容容器２１０上に動物用排泄物処理器具１を載せると、板状部材１０の下面が収納容器２１０の周縁部２２０によって支持される。そして、動物を板状部材１０の上に載って排泄行為をさせる。
動物用排泄物処理器具２００は動物用排泄物処理器具１００に比べて高いので、より高いところで動物に排泄行為をすることを意識させることができる。このように、徐々に高いところで動物に排泄行為をさせることによって、動物が自ら人間用の便器でうまく排泄させることができるようになる。
なお、上記の実施の形態では、動物用排泄物処理器具２００を動物用排泄物処理器具１００に比べて深くするように構成したが、その逆であってもよい。
上記動物用排泄物処理器具１００、２００は、最終的に、動物が自ら人間用の便器で排泄させることを可能にし、後は水洗によって排泄物を流すだけなので、トイレ砂などの処理をする手間が省ける利便性を有すると共に、清潔な排泄も達成できる。
【００２８】
動物が便器の上で違和感などを抱かない場合には、排泄物処理器具１（図２３に図示したものは、収容容器２４を装着したものである。）を直接に人間用の便器の上に置くようにしてもよい（図２３乃至図２６参照）。
【００２９】
また、上記動物用排泄物処理器具１００、２００は使用しないときには、図２７及び図２８に示すように、一体にして収納しておくこともできる。
まず、収納容器２１０内に収容容器２４と支柱１２０を収納する。次いで、処理器具１を収納容器２１０の上縁２２０上に載置し、この状態で収納容器１１０を逆向きにしてその上に被せる。
【産業上の利用可能性】
【００３０】
本発明は、猫などの動物用のトイレなどの排泄物処理器具に利用することができる。また、本発明は、その排泄物処理器具を用いて動物を人間用の便器で排泄させることを可能にする動物のしつけ方法に利用することができる。
【図面の簡単な説明】
【００３１】
【図１】本発明の一実施の形態に関する動物用排泄物処理器具の分解斜視図である。
【図２】排泄穴１１の調整手段の一例である調整キャップを示す斜視図である。板状部材の斜視図である。
【図３】調整キャップ１２を有する動物用排泄物処理器具１の上から見た分解斜視図である。
【図４】調整キャップ１２を有する動物用排泄物処理器具１の下から見た分解斜視図である。
【図５】排泄物収容容器２０を装着した板状部材１０の斜視図である。
【図６】図５のＶI−ＶI線断面図である。
【図７】図５のＶII−ＶIIである。
【図８】着脱機構１７を示す図である。
【図９】着脱機構１７の一部拡大断面図である。
【図１０】動物用排泄物処理器具１の要部拡大断面図である。
【図１１】別の収容容器２４の斜視図である。
【図１２】別の収容容器２４の斜視図である。
【図１３】別の収容容器２４の斜視図である。
【図１４】別の収容容器２４の斜視図である。
【図１５】収納容器１１０の斜視図である。
【図１６】板状部材１０を搭載したときの収納容器１１０の一部切載図である。
【図１７】図１６のＸＶIII−ＸＶIII線断面図である。
【図１８】図１６のＸＶII−ＸII線断面図である。
【図１９】別の収納容器２１０の斜視図である。
【図２０】板状部材１０を搭載したときの収納容器２１０の一部切載図である。
【図２１】図２０のＸＸI−ＸＸI線断面図である。
【図２２】図２０のＸＸII−ＸＸII線断面図である。
【図２３】排泄物収容容器２４を装着した板状部材１０の斜視図である。
【図２４】動物用排泄物処理器具１が直接に人間用の便器の上に置かれたときの状態を示す斜視図である。
【図２５】図２４のＸＸＶ−ＸＸＶ線断面図である。
【図２６】図２４のＸＸＶI−ＸＸＶI線断面図である。
【図２７】動物用排泄物処理器具を一体に収納した状態を示す断面図である。
【図２８】動物用排泄物処理器具を一体に収納した状態を示す断面図である。
【符号の説明】
【００３２】
１、２００…動物用排泄物処理器具  １０…板状部材  １１…排泄穴  １２…調整キャップ  １７…着脱機構  ２０、２４…排泄物収容容器  １１０、２１０…収納容器  １２０…支柱部    
【図１】
2005185121.tif 000003
【図２】
2005185121.tif 000004
【図３】
2005185121.tif 000005
【図４】
2005185121.tif 000006
【図５】
2005185121.tif 000007
【図６】
2005185121.tif 000008
【図７】
2005185121.tif 000009
【図８】
2005185121.tif 000010
【図９】
2005185121.tif 000011
【図１０】
2005185121.tif 000012
【図１１】
2005185121.tif 000013
【図１２】
2005185121.tif 000014
【図１３】
2005185121.tif 000015
【図１４】
2005185121.tif 000016
【図１５】
2005185121.tif 000017
【図１６】
2005185121.tif 000018
【図１７】
2005185121.tif 000019
【図１８】
2005185121.tif 000020
【図１９】
2005185121.tif 000021
【図２０】
2005185121.tif 000022
【図２１】
2005185121.tif 000023
【図２２】
2005185121.tif 000024
【図２３】
2005185121.tif 000025
【図２４】
2005185121.tif 000026
【図２５】
2005185121.tif 000027
【図２６】
2005185121.tif 000028
【図２７】
2005185121.tif 000029
【図２８】
2005185121.tif 000030